(57)【要約】【課題】ファインダ光学系に導光される光量を増加し、ファインダ像が明るくなる事による被写体視認性の向上、及び低輝度環境下での測光精度向上を提供すること。【解決手段】メインミラー（５０１）と、メインミラー（５０１）を保持するメインミラーホルダ（５０２）と、メインミラーホルダ（５０２）に支持され、サブミラー（５０３）を保持するサブミラーホルダ（５０４）と、を備え、サブミラーホルダ（５０４）は、被写体光を焦点検出装置（３１）に導くための第１の位置（図２（ａ））と、被写体光をファインダ光学系（４）へ導くためのメインミラー待機位置まで回動した第２の位置（図２（ｂ））と、撮像素子（３３）への被写体光を遮らない第３の位置（図２（ｃ））を有した撮像装置において、撮影を行う際の設定絞り値に対応する被写界深度を確認するための被写界深度確認モードが設定された際に、サブミラーホルダ（５０４）を第２の位置（図２（ｂ））に回動し待機するように制御することを特徴とする。【選択図】図５
2017125986.tif 000002
【特許請求の範囲】
【請求項１】
メインミラー（５０１）と、
メインミラー（５０１）を保持するメインミラーホルダ（５０２）と、
メインミラーホルダ（５０２）に支持され、
サブミラー（５０３）を保持するサブミラーホルダ（５０４）と
を備え、
サブミラーホルダ（５０４）は、被写体光を焦点検出装置（３１）に導くための第１の位置（図２（ａ））と、
被写体光をファインダ光学系（４）へ導くためのメインミラー待機位置まで回動した第２の位置（図２（ｂ））と、
撮像素子（３３）への被写体光を遮らない第３の位置（図２（ｃ））を有した撮像装置において、
撮影を行う際の設定絞り値に対応する被写界深度を確認するための被写界深度確認モードが設定された際に、
サブミラーホルダ（５０４）を第２の位置（図２（ｂ））に回動し待機するように制御することを特徴とする撮像装置。
【請求項２】
撮影を行う際の設定絞り値に対応する被写界深度を確認するための被写界深度確認モードが解除された際に、サブミラーホルダ（５０４）を第１の位置（図２（ａ））に回動し待機するように制御することを特徴とする請求項１に記載の撮像装置。
【請求項３】
被写体の明るさを測定可能な輝度検出部２９３を有し、被写界深度確認モード設定時にサブミラーホルダ（５０４）を第２の位置（図２（ｂ））に回動し待機するように制御するかどうかを、測光結果に応じて判断することを特徴とする請求項１に記載の撮像装置。
【請求項４】
被写体にピントを自動で合わせるオートフォーカス機能と、直前のオートフォーカス結果を記憶する記憶手段と、を有し、被写界深度確認モード設定時にサブミラーホルダ（５０４）を第２の位置（図２（ｂ））に回動し待機するように制御するかどうかを、測光結果及び直前のオートフォーカス結果に応じて判断することを特徴とする請求項３に記載の撮像装置。
【発明の詳細な説明】
【技術分野】
【０００１】
本発明は、撮像装置及びその制御方法に関し、特にミラー駆動装置の制御に関する。
【背景技術】
【０００２】
一般に、一眼レフカメラなどの撮像装置で用いられる光学ファインダにおいては、ファインダ像の明るさが要求されるとともに、所謂ピント山の掴み易さが求められている。ここで、ピント山の掴みやすさとは、背景などの非合焦領域のボケ味が大きい程、合焦領域と非合焦領域との差が明瞭になってピントを確認しやすくなることをいう。このため、ファインダ観察の際には、一般に撮影レンズにおける絞りは開放状態として、撮影レンズを介して入射する光量を多くしてファインダ像を明るくしている。
【０００３】
一方、撮影画像と同様の被写界深度でファインダ像を確認したいという要望もあり、撮影を行う際の設定絞り値に対応する被写界深度を確認するため設定絞り値まで絞りを駆動させる被写界深度確認モードがある。このとき、絞りが開放状態でなくなるため、ファインダ像が暗くなるという課題がある。
【０００４】
この課題を解決するため、特許文献１では、電子ビューファインダを有する一眼レフカメラにおいて、被写界深度確認モード設定時に絞り値に応じて電子ビューファインダに出力される信号の振幅を制御して、ファインダ像が暗くなることを防ぐ方法がある。
【先行技術文献】
【特許文献】
【０００５】
【特許文献１】特開２００１−１３５４７号公報
【発明の概要】
【発明が解決しようとする課題】
【０００６】
しかしながら、上述の特許文献１に開示された従来技術は、電子ビューファインダを用いて撮影するときのみ有効であり、光学ファインダを用いて撮影する際に被写界深度確認モード設定時にファインダ像が暗くなる課題は解決しない。
【０００７】
本発明の目的は、光学ファインダを用いて撮影を行う際の設定絞り値に対応する被写界深度を確認するための被写界深度確認モード時において、ファインダ光学系に導光される光量を増加し、ファインダ像が明るくなる事による被写体視認性の向上を図れる撮像装置を提供することにある。
【課題を解決するための手段】
【０００８】
上記の目的を達成するために、本発明に係る撮像装置は、
メインミラー（５０１）と、
メインミラー（５０１）を保持するメインミラーホルダ（５０２）と、
メインミラーホルダ（５０２）に支持され、
サブミラー（５０３）を保持するサブミラーホルダ（５０４）と、を備え、
サブミラーホルダ（５０４）は、被写体光を焦点検出装置（３１）に導くための第１の位置（図２（ａ））と、
被写体光をファインダ光学系（４）へ導くためのメインミラー待機位置まで回動した第２の位置（図２（ｂ））と、
撮像素子（３３）への被写体光を遮らない第３の位置（図２（ｃ））を有した撮像装置において、
撮影を行う際の設定絞り値に対応する被写界深度を確認するための被写界深度確認モードが設定された際に、
サブミラーホルダ（５０４）を第２の位置（図２（ｂ））に回動し待機するように制御する
ことを特徴とする。
【発明の効果】
【０００９】
本発明によれば、光学ファインダを用いて撮影を行う際の設定絞り値に対応する被写界深度を確認するための被写界深度確認モード時において、ファインダ光学系に導光される光量を増加し、ファインダ像を明るくする事による被写体視認性の向上を図れる撮像装置を提供することができる。
【図面の簡単な説明】
【００１０】
【図１】本実施例における撮像装置の主要な電気構成図である。
【図２（ａ）】本実施例における撮像装置の構成を説明する図である。
【図２（ｂ）】本実施例における撮像装置の構成を説明する図である。
【図２（ｃ）】本実施例における撮像装置の構成を説明する図である。
【図３】本実施例におけるミラーユニットの構成を説明する分解斜視図である。
【図４】本実施例におけるメインミラーホルダとサブミラーホルダの動作詳細図である。
【図５】本実施例における撮像装置の制御処理手順を示したフローチャートである。
【図６】本実施例における撮像装置の被写界深度確認モードが解除されたときの処理手順を示したフローチャートである。
【発明を実施するための形態】
【００１１】
以下に、本発明の好ましい実施の形態を、添付の図面に基づいて詳細に説明する。なお、本形態において例示される構成部品の寸法、形状、それらの相対配置などは、本発明が適用される装置の構成や各種条件により適宜変更されるべきものであり、本発明がそれらの例示に限定されるものではない。
【００１２】
図１は本発明の実施形態における撮像装置１の概略構成を示すブロック図である。
【００１３】
撮像装置１は、本実施形態では交換撮像レンズ式一眼レフカメラであるものとし、撮像レンズ１０と、本体部１とを備える。撮像装置１は、被写体を撮像するための本体部１にマウントＭを介して交換可能に着脱される撮像レンズ１０の焦点位置を調整する焦点調整機能を有する。
【００１４】
撮像レンズ１０は、レンズ側ＭＰＵ（マイクロプロセッシングユニット）１１０と、複数のレンズから成るレンズ群１２２と、レンズ群１２２を駆動するためのレンズ駆動部１２０を有する。また、撮像レンズ１０は、絞り１３２と、絞り１３２を駆動するための絞り駆動部１３０とを有する。更に、撮像レンズ１０は、マニュアル操作によりレンズ群１２２に含まれるフォーカスレンズを動かすための不図示の距離環の位置を検出するための距離環位置検出部１４０を有する。
【００１５】
本体部１において、３３は撮像レンズ１０を透過した被写体像を光電変換して画像信号を出力する撮像素子、２７２は表示パネルである。更に、本体部１は、ピント板２９０、ペンタプリズム２９１、ファインダ２９２、測光センサ２９３を有し、ペンタプリズム２９１に入った光は、分光し、ファインダ２９２と輝度検出部２９３の両方に入光する。輝度検出部２９３は、入光する光の明るさを検出する測光センサを有し、撮影画像全体を複数領域に分割したそれぞれの領域について、輝度を演算し、本体部ＭＰＵ２１０に送信する。更に、本体部１は、本体側ＭＰＵ２１０、デフォーカス検出部２２０、ミラー駆動部２３０、記憶部２４０、撮像部２５０、記録部２６０、表示部２７０、操作部２８０を有する。
【００１６】
ミラー駆動部２３０は、本体側ＭＰＵ２１０から制御され、ミラーユニット５００を駆動する。
【００１７】
ミラーユニット５００は、主ミラー５０１、サブミラー５０３から構成されている。ミラーユニットは、第１の位置（図２（ａ））から第２の位置（図２（ｂ））へ、更に第２の位置から第３の位置（図２（ｃ））へと移動可能である。
【００１８】
主ミラー５０１は、ミラーユニット５００の第１の位置（図２（ａ））にて、撮像レンズ１２２を通過する撮像光束をファインダ光学系へ導くとともに、その一部を透過させてサブミラー５０３に導く。
【００１９】
サブミラー５０３は、透過された撮影光束をデフォーカス量検出部２２０へ導く。また、ミラーユニット５００は、撮像時には、撮像レンズ１２２から撮像素子３３に向かう光束を遮らないように第３の位置（図２（ｃ））に退避する。
【００２０】
ミラー駆動部２３０は、ミラーユニット５００を第１の位置から第２、第３の位置へ、または第３の位置から第２、第１の位置へ駆動するためのものであり具体的には、たとえばモータ（不図示）とギヤトレイン（不図示）などから構成される。
【００２１】
記憶部２４０は、撮影に必要な各種パラメータや、焦点調節機能の際にデフォーカス量の演算に用いた測距点の情報を記憶部２４０に記憶してする。
【００２２】
撮像部２５０は、撮像素子３３に蓄積された電荷を画像として本体側ＭＰＵ２１０に出力させる。
【００２３】
記録部２６０は、撮像素子３３で撮像された画像を画像ファイルとして記録媒体に記録する。
【００２４】
表示部２７０は撮影した画像や、設定画面を表示する。
【００２５】
操作部２８０は、撮像装置１の撮像に関する動作（例えば、シャッタ速度、絞り値、撮像モードなど）を設定するためのボタン及びダイヤルや撮像を指示するためのレリーズボタンおよび、撮影を行う際の設定絞り値に対応する被写界深度を確認するための被写界深度確認モードの設定を指示するための絞り込みボタンを含む。
【００２６】
なお、レリーズボタンは、半押しによりオン状態となる撮像準備用のスイッチＳＷ１と、全押しによりオン状態となる撮像開始用のスイッチＳＷ２とを含む。
【００２７】
上記構成を有する撮像装置１において、スイッチＳＷ１がオン状態になると、焦点調整機能を開始する。具体的には、まず、検出部２２０からの出力（デフォーカス量）に応じて、本体側ＭＰＵ２１０がレンズ側ＭＰＵ１１０に対してレンズ駆動命令を送信する。そして、本体側ＭＰＵ２１０からのレンズ駆動命令に基づいて、レンズ側ＭＰＵ１１０がレンズ駆動部１２０を制御して、撮像レンズ１０の距離環を駆動することで焦点調整が行われる。このとき、デフォーカス量の演算に用いた画面上の位置である測距点の情報を記憶部２４０に記憶してする。
【００２８】
また、スイッチＳＷ２がオン状態になると、本体側ＭＰＵ２１０、撮像部２５０、レンズ側ＭＰＵ１１０及び絞り駆動部１３０などが被写体を撮像するための一連の動作を行う。そして、スイッチＳＷ１がオフ状態になると、焦点調整機能を停止する。
【００２９】
また、本体側ＭＰＵ２１０は、撮影レンズ１０と、マウント接点Ｍを介して通信を行う。
【００３０】
マウント接点Ｍは撮影レンズユニットが接続されると本体側ＭＰＵ２１０へ信号を送信する機能も備えている。
【００３１】
これにより、レンズ側ＭＰＵ１１０は、本体側ＭＰＵ２１０との間で通信を行い、撮影レンズ１０のレンズ群１２２および絞り１３２の駆動を、レンズ駆動部１２０および絞り駆動部１３０を介して行うことが可能となる。
【００３２】
次に、図２〜４を参照して、本発明における、デジタル一眼レフカメラのミラーユニット５００の状態について説明する。
【００３３】
図２はデジタル一眼レフカメラの構成を説明する図である。
【００３４】
図２において、カメラ本体１には交換レンズ１０が取り付けられている。カメラ本体１は、焦点検出センサユニット３１、ファインダ光学系４、ミラーボックス１０００、撮像素子３３、測光センサ２３、および不図示のミラー駆動ユニットを備えている。
【００３５】
図２（ａ）はメインミラーホルダ５０２およびサブミラーホルダ５０４がミラーダウン位置に待機している状態を示す。
【００３６】
ミラーユニット５００が光路内に位置し、交換レンズ１０を通過した光束はメインミラー５０１で分離される。メインミラーで反射した光束は、ファインダ光学系４のペンタプリズム２２に導かれる。
【００３７】
一方、メインミラー５０１を透過した光束はサブミラー５０３で反射して、焦点検出センサユニット３１に導かれる。したがって、図２（ａ）の状況にて、交換レンズ１０を透過した光束は、撮像素子３３に導かれない。この時、ファインダ光学系４を介して撮影者が確認できるファインダ像の光量は焦点検出センサユニット３１へ導かれる光量だけ減じられたものとなる。この状態を本実施例では第１のミラーユニット位置と呼ぶ。
【００３８】
図２（ｂ）はメインミラーホルダ５０２はミラーダウン位置に位置し、サブミラーホルダ５０４はメインミラー５０１とサブミラー５０３が重なる位置までミラーアップしている状態を示す。
【００３９】
交換レンズ１０を通過した光束は、メインミラー５０１とサブミラー５０３に反射し、焦点検出センサユニット３１に導かれることなく、ファインダ光学系４のペンタプリズム２２に導かれる。したがって、ファインダ接眼レンズを介して撮影者が確認できるファインダ像の光量は明るくなり、被写体の視認性が向上し、マニュアル操作による焦点調整も容易になる。また、測光センサ２３に導かれる光量も増加するため、低輝度環境下における測光精度を向上させることが可能である。
【００４０】
この状態を本実施例では第２のミラーユニット位置と呼ぶ。
【００４１】
図２（ｃ）はメインミラーホルダ５０２およびサブミラーホルダ５０４がミラーアップ位置に待機している状態を示す。
【００４２】
図２（ｃ）の状態では、メインミラーホルダ５０２およびサブミラーホルダ５０４はミラーボックス１０００の上方に回動しミラーユニット５００は撮影光路内から退避する。これにより交換レンズ１０を通過した光束は、ファインダ光学系４および焦点検出センサユニット３１に導かれることなく、撮像センサ３３に導かれる。この状態を本実施例では第３のミラーユニット位置と呼ぶ。
【００４３】
以上のようにミラー駆動ユニットは、ミラーユニット５００を図２（ａ）に示すミラーダウン位置と図２（ｃ）に示すミラーアップ位置との間を駆動する。
【００４４】
図３はミラーユニット５００の構成を説明する分解斜視図であり、図２におけるメインミラーホルダ５０２及びサブミラーホルダ５０４の関係をここで説明する。
【００４５】
ミラーユニット５００はメインミラー５０１を保持するメインミラーホルダ５０２と、サブミラー５０３を保持するサブミラーホルダ５０４を有する。
【００４６】
メインミラーホルダ５０２には回転軸５０２ａ、５０２ｂが形成されており、ミラーボックス１０００に回転軸５０２ａを中心として回動するよう取り付けられている。
【００４７】
サブミラーホルダ５０４には穴部５０４ａが形成されており、メインミラーホルダ５０２に形成された軸５０２ｂに軸支され、該軸５０２ｂを中心に回動する。
【００４８】
メインミラーホルダ５０２はサブミラーホルダ５０４に押し上げられることでミラーアップ動作を行う。また、ミラーユニットがミラーダウン動作中は、メインミラーホルダ５０２はサブミラーホルダ５０４に引き下げられることでミラーダウン動作を行う機構となっており、前述図２の動作を可能としている。
【００４９】
図４を用いて更に詳細を説明する。
【００５０】
図４はメインミラーホルダ５０２とサブミラーホルダ５０４の動作詳細図である。（ａ）、（ｆ）は前記第１のミラーユニット位置、（ｂ）、（ｅ）は前記第２のミラーユニット位置、（ｃ）、（ｄ）は前記第３のミラーユニット位置の状態を示す。
【００５１】
（ａ）において、サブミラーホルダ５０４は不図示のバネによりミラーボックス１０００に取り付けられたサブミラー位置決め軸５０８に押し当てられている。また、メインミラーホルダ５０２は不図示のバネによりミラーボックス１０００に取り付けられたメインミラー位置決め軸５０７に押し当てられて第１のミラーユニット位置の状態を保っている。この状態において、不図示のミラー駆動ユニットによりサブミラーホルダ駆動軸５０４ｃに図示Ｆ方向に動力が伝達されると軸５０２ｂを回転中心としてサブミラーホルダ５０４が駆動し、（ｂ）の第２のミラーユニット位置まで回動する。
【００５２】
第２のミラーユニット位置ではサブミラーホルダ５０４はメインミラーホルダ５０２に当接しその押し当てる力は、メインミラーホルダ５０２がメインミラー位置決め軸５０７から浮かない程度の大きさであれば良い。この状態において、不図示のミラー駆動ユニットによりサブミラーホルダ駆動軸５０４ｃに図示Ｆ方向に動力が伝達されると、サブミラーホルダ５０４によってメインミラーホルダ５０２を持ち上げられ、（ｃ）の第３のミラーユニット位置まで回動する。
【００５３】
第３のミラーユニット位置では、サブミラーホルダ５０４によってメインミラーホルダ５０２をミラーボックス１０００に取り付けられたミラーアップストッパ５０５に押し当てられ、ミラーユニット５００は撮影光路内から退避する位置を保っている。
【００５４】
（ｄ）では不図示のミラー駆動ユニットによりサブミラーホルダ駆動軸５０４ｃに図示Ｆ方向に動力を伝達することでサブミラーホルダ５０４のダウンが開始される。この時メインミラーホルダ５０２はサブミラーホルダ５０４に連結された不図示のバネもしくはカムによりサブミラーホルダ５０４と同時に押し下げられ、メインミラーホルダ５０２がメインミラー位置決め軸５０７に当接し（ｅ）の第２のミラーユニット位置の状態となる。
【００５５】
（ｅ）の状態から不図示のミラー駆動ユニットによりサブミラーホルダ駆動軸５０４ｃに図示Ｆ方向に動力を伝達することでサブミラーホルダ５０４はサブミラー位置決め軸５０８に当接し（ｆ）の第１のミラーユニット位置に戻る。
【００５６】
尚、前記ミラー駆動ユニットの機構については、図２示すミラーユニット５００の動作を達成できれば手段は問わない。
【００５７】
以下、図５を参照して、本実施例における撮像装置において被写界深度確認モードが設定されたときの処理手順について説明する。
【００５８】
被写界深度確認モードとは、撮影を行う際の設定絞り値に対応する被写界深度を確認するためモードであり、絞り込みボタンが押されることによって設定を開始する。
【００５９】
まず、Ｓ１１１においてサブミラーホルダ５０４が第１のミラーユニット位置にあるかを確認し、第１のミラーユニット位置に無ければＳ１１２においてサブミラーホルダ５０４を第１のミラーユニット位置まで駆動する。
【００６０】
次に、Ｓ１１３〜Ｓ１１８において、被写界深度確認モード設定時にサブミラーホルダ５０４を第２のミラーユニット位置まで駆動させるかどうかを、被写体の明るさをもとに判定する。
【００６１】
Ｓ１１３〜Ｓ１１５では、輝度検出部２９３を用いて、被写体の明るさを検出する。
【００６２】
Ｓ１１６〜Ｓ１１９では、直前のオートフォーカスの結果に基づいて、サブミラーホルダ５０４を駆動するかどうかの判定に、被写体のどの部分の明るさを使うかを判断し、サブミラーホルダ５０４を駆動する必要があると判断した場合、駆動する。
【００６３】
まず、Ｓ１１６において、この時点でオートフォーカスが完了しているかどうかを判定する。オートフォーカスが完了していなければ、Ｓ１１７において、被写体中最も明るい部分の明るさをサブミラーホルダ５０４の駆動判定に用いる。オートフォーカスが完了していれば、合焦している部分の明るさをサブミラーホルダ５０４の駆動判定に用いる。
【００６４】
Ｓ１１７及びＳ１１８において、明るさが一定値以上と判定されたときは、ファインダ像を明るくする必要は無いと判断し、サブミラーホルダ５０４の駆動は行わず、Ｓ１２０にすすむ。Ｓ１１７及びＳ１１８において、明るさが一定値未満と判定されたときは、Ｓ１１９においてサブミラーホルダ５０４を第２のミラーユニット位置に向かって駆動を開始した後、Ｓ１２０にすすむ。
【００６５】
Ｓ１２０では、撮影時の設定絞り値まで絞りを駆動する。本体側ＭＰＵ２１０からレンズ側ＭＰＵ１１０に絞り値と共に絞り駆動要求を送信する。レンズ側ＭＰＵ１１０は、絞り駆動要求をうけて、本体側ＭＰＵ２１０と独立に、絞り駆動部１３０を制御する。絞り駆動が完了すると、絞り駆動部１３０は本体側ＭＰＵ２１０に絞り駆動完了通知を送信する。
【００６６】
次に、Ｓ１２１〜Ｓ１２４においてサブミラーホルダ５０４の駆動停止および、絞り駆動完了を確認する。
【００６７】
Ｓ１２１では、サブミラーホルダ５０４が駆動しているかどうかを確認する。サブミラーホルダ５０４が駆動している場合、Ｓ１２２に進む。サブミラーホルダ５０４が駆動していない場合、つまり、サブミラーホルダ５０４の駆動が完了し第２のミラーユニット位置にあるか、Ｓ１１６〜Ｓ１１９においてサブミラーホルダ５０４を駆動しないと判断した場合、Ｓ１２４にすすむ。
【００６８】
Ｓ１２２では、サブミラーホルダ５０４が第２のミラーユニット位置まで到達したかどうかを確認し、到達しているならばＳ１２３にすすみ、サブミラーホルダ５０４の駆動を停止したのち、Ｓ１２４にすすむ。到達していない場合、Ｓ１２１にもどる。
【００６９】
Ｓ１２４では、絞り駆動が完了しているかどうかを判定し、絞り駆動が完了しているならば、被写界深度確認モードの設定を完了する。絞り駆動が完了していないならば、絞り駆動が完了するまで待ち、被写界深度確認モードの設定を完了する。絞り駆動が完了しているかどうかは、本体側ＭＰＵ２１０がレンズ側ＭＰＵ１１０から絞り駆動完了通知を受信しているかどうかによって判断する。
【００７０】
以下、図６を参照して、本実施例における撮像装置において被写界深度確認モードが解除されたときの処理手順について説明する。被写界深度確認モードの解除は、絞り込みボタンが押された状態から離されることによって開始する。
【００７１】
まず、Ｓ２１１において、サブミラーホルダ５０４が第１のサブミラーユニット位置にあるかどうかを確認する。サブミラーホルダ５０４が第１のサブミラーユニット位置にある場合、つまり、被写界深度確認モード設定時にサブミラーホルダ５０４を駆動しなかった場合は、Ｓ２１３にすすむ。サブミラーホルダ５０４が第１のサブミラーユニット位置に無い場合は、Ｓ２１２にてサブミラーホルダ５０４を第１のサブミラーユニット位置に向けて駆動を開始したのち、Ｓ２１３にすすむ。
【００７２】
Ｓ２１３では、開放絞り値まで絞りを駆動する。本体側ＭＰＵ２１０からレンズ側ＭＰＵ１１０に絞り開放要求を送信する。レンズ側ＭＰＵ１１０は、絞り開放要求をうけて、本体側ＭＰＵ２１０と独立に、絞り駆動部１３０を制御する。絞り開放駆動が完了すると、絞り駆動部１３０は本体側ＭＰＵ２１０に絞り開放駆動完了通知を送信する。
【００７３】
次に、Ｓ２１４〜Ｓ２１７においてサブミラーホルダ５０４の駆動停止および、絞り開放駆動完了を確認する。
【００７４】
Ｓ２１４では、サブミラーホルダ５０４が駆動しているかどうかを確認する。サブミラーホルダ５０４が駆動している場合、Ｓ２１５に進む。サブミラーホルダ５０４が駆動していない場合、つまり、サブミラーホルダ５０４の駆動が完了し第１のミラーユニット位置にあるか、Ｓ２１１においてサブミラーホルダ５０４を駆動しないと判断した場合、Ｓ２１７にすすむ。
【００７５】
Ｓ２１５では、サブミラーホルダ５０４が第１のミラーユニット位置まで到達したかどうかを確認し、到達しているならばＳ２１６にすすみ、サブミラーホルダ５０４の駆動を停止したのち、Ｓ２１７にすすむ。到達していない場合、Ｓ２１４にもどる。
【００７６】
Ｓ２１７では、絞り開放駆動が完了しているかどうかを判定し、絞り開放駆動が完了しているならば、被写界深度確認モードの解除を完了する。絞り開放駆動が完了していないならば、絞り開放駆動が完了するまで待ち、被写界深度確認モードの解除を完了する。絞り開放駆動が完了しているかどうかは、本体側ＭＰＵ２１０がレンズ側ＭＰＵ１１０から絞り開放駆動完了通知を受信しているかどうかによって判断する。
【００７７】
以上、本発明の好ましい実施形態について説明したが、本発明はこれらの実施形態に限定されず、その要旨の範囲内で種々の変形及び変更が可能である。
【符号の説明】
【００７８】
１０  撮像レンズ、１１０  レンズ側ＭＰＵ（マイクロプロセッシングユニット）、
１２２  レンズ群、１２０  レンズ駆動部
【図１】
2017125986.tif 000003
【図２（ａ）】
2017125986.tif 000004
【図２（ｂ）】
2017125986.tif 000005
【図２（ｃ）】
2017125986.tif 000006
【図３】
2017125986.tif 000007
【図４】
2017125986.tif 000008
【図５】
2017125986.tif 000009
【図６】
2017125986.tif 000010